(57)【特許請求の範囲】
【請求項１】
赤緑青の３つの光成分のうちの第１の光成分の偏光方向と、第２及び第３の光成分の偏光方向とが互いに異なっている光を出射する光源と、該光源から出射した光成分を用いて生成した画像を投影する投影装置とを有する投影表示システムであって、
前記投影装置は、前記光源から出射した光成分のうち、前記第３の光成分を透過させ、前記第１及び第２の光成分を反射させる第１のダイクロイックフィルタと、
該第１のダイクロイックフィルタを透過した前記第３の光成分を反射し、該第３の光成分の偏光方向と直交する偏光方向の光を透過させる第１の偏光ビームスプリッタと、
該第１の偏光ビームスプリッタで反射した前記第３の光成分を入射させ、該入射した第３の光成分を変調して偏光方向を回転させて反射する第１のＬＣＤと、前記第１のダイクロイックフィルタで反射した前記第１及び第２の光成分のうち、第２の光成分を反射し、第１の光成分を透過させる第２の偏光ビームスプリッタと、
該第２の偏光ビームスプリッタを反射した前記第２の光成分を入射させ、該入射した第２の光成分を変調して偏光方向を回転させて反射する第２のＬＣＤと、該第２の偏光ビームスプリッタを透過した前記第１の光成分を入射させ、該入射した第１の光成分を変調して偏光方向を回転させて反射する第３のＬＣＤとを有し、
前記第１の偏光ビームスプリッタは、前記第１のＬＣＤで反射した前記第３の光成分を透過させ、前記第２の偏光ビームスプリッタは、前記第２のＬＣＤで反射した前記第２の光成分を透過させるとともに、前記第３のＬＣＤで反射した前記第１の光成分を反射させ、
さらに前記第１の偏光ビームスプリッタを透過した前記第３の光成分を反射させるとともに、前記第２の偏光ビームスプリッタを透過した前記第１の光成分及び第２の偏光ビームスプリッタで反射した前記第１の光成分を透過させる第２のダイクロイックフィルタと、
該第２のダイクロイックフィルタを出射した前記第１、第２及び第３の光成分を入射させ、被投影面に投影画像を投影する投影レンズとを有し、
前記第１及び第２のダイクロイックフィルタが直線状に配列され、かつ前記第１及び第２の偏光ビームスプリッタが直線状に配列され、各前記ダイクロイックフィルタと各前記偏光ビームスプリッタとがＸ字状に交差するように配置されていることを特徴とする投影表示システム。
【請求項２】
赤緑青の３つの光成分のうちの第１の光成分の偏光方向と、第２及び第３の光成分の偏光方向とが互いに異なっている光を出射する光源と、該光源から出射した光成分を用いて生成した画像を投影する投影装置とを有する投影表示システムであって、
前記投影装置は、前記光源から出射した光成分のうち、前記第３の光成分を透過させ、前記第１及び第２の光成分を反射させる第１のダイクロイックフィルタと、
該第１のダイクロイックフィルタを透過した前記第３の光成分を反射し、該第３の光成分の偏光方向と直交する偏光方向の光を透過させる第１の偏光ビームスプリッタと、
該第１の偏光ビームスプリッタで反射した前記第３の光成分を入射させ、該入射した第３の光成分を変調して偏光方向を回転させて反射する第１のＬＣＤと、前記第１のダイクロイックフィルタで反射した前記第１及び第２の光成分のうち、第２の光成分を反射し、第１の光成分を透過させる第２の偏光ビームスプリッタと、
該第２の偏光ビームスプリッタを反射した前記第２の光成分を入射させ、該入射した第２の光成分を変調して偏光方向を回転させて反射する第２のＬＣＤと、該第２の偏光ビームスプリッタを透過した前記第１の光成分を入射させ、該入射した第１の光成分を変調して偏光方向を回転させて反射する第３のＬＣＤとを有し、
前記第１の偏光ビームスプリッタは、前記第１のＬＣＤで反射した前記第３の光成分を透過させ、前記第２の偏光ビームスプリッタは、前記第２のＬＣＤで反射した前記第２の光成分を透過させるとともに、前記第３のＬＣＤで反射した前記第１の光成分を反射させ、
さらに前記第１の偏光ビームスプリッタを透過した前記第３の光成分を透過させるとともに、前記第２の偏光ビームスプリッタを透過した前記第１の光成分及び第２の偏光ビームスプリッタで反射した前記第１の光成分を反射させる第２のダイクロイックフィルタと、
該第２のダイクロイックフィルタを出射した前記第１、第２及び第３の光成分を入射させ、被投影面に投影画像を投影する投影レンズとを有し、
前記第１及び第２のダイクロイックフィルタが直線状に配列され、かつ前記第１及び第２の偏光ビームスプリッタが直線状に配列され、各前記ダイクロイックフィルタと各前記偏光ビームスプリッタとがＸ字状に交差するように配置されていることを特徴とする投影表示システム。
【請求項３】
請求項１または２に記載の投影表示システムにおいて、
前記第１の偏光ビームスプリッタ、前記第２の偏光ビームスプリッタ、前記第１のダイクロイックフィルタ、及び前記第２のダイクロイックフィルタのそれぞれは、その入射面に対して４５度の角度で入射光を入射させるように配置され、
前記第１ないし第３のＬＣＤは、その入射面に対して９０度の角度で入射光を入射させるように配置されていることを特徴とする投影表示システム。
【発明の詳細な説明】
【０００１】
【発明の属する技術分野】
この発明は、反射空間光変調器を用いる投影表示システムに関し、より具体的には反射液晶装置を含む投影表示システム並びに偏光変換器を含む投影表示システムに関する。
【０００２】
【従来の技術】
Ｉ．投影表示システム
図１４は、液晶光バルブ（ＬＣＬＶ）とも呼ばれる液晶表示（ＬＣＤ）パネル形式の３台の反射型空間光変調器を含む投影表示システムの光学系主要構成品を示す図である。この従来の投影表示システム１０は、光源１２と、光を集めて光バルブに集中させる照明機構１４と、光バルブが偏光効果により光変調する場合に、光を偏光させる偏光機構１６と、照明光を３つの色帯域に分割し、３台の光バルブを個別に照明する光分割機構１８と、光バルブで反射した３つの分配光を再び結合させる再結合機構２０と、結合画像を表示スクリーンに投影する投影機構２２を含んでいる。
【０００３】
ランプ２４とランプ光を反射する反射鏡２６は、このシステム用の光を発生し集光させる。ダイクロイックフィルタ２８，３０の列は、ランプ２４から発生した光を、赤、緑及び青の個別成分に分割するために使用される。３つの色成分又はチャンネルに分かれた光は偏光ビームスプリッタ（ＰＢＳ）３２，３４，３６によって各々偏光され、３台の液晶表示装置（ＬＣＤ）３８，４０，４２を照明する。液晶表示装置は、偏光変調して反射させ、光の一部が偏光ビームスプリッタを逆に通過できるようにする。第２列のダイクロイックフィルタ４４，４６は、変調光成分を再結合して投影レンズ４８に向けて出射させ、投影レンズ４８により３台の液晶表示装置の画像を表示スクリーンに表示させる。
【０００４】
図１４の構成は機能的であり、投影表示システム製品に適用されてきた。しかしながら、この構成は多数の構成要素を有し、複雑で、システムの物理的寸法をかなり大きくする必要がある。かようなシステムの最も重大な欠点は、投影レンズが、大きな後方作動距離を要することである。
【０００５】
４５度傾斜した単一フィルタ又は偏光ビームスプリッタ（ＰＢＳ）は、液晶表示（ＬＣＤ）パネルの表示幅以上の光路長を必要とする。図１４から明らかなように、３つのチャンネルの中の２つ（緑と赤）のチャンネルが１つのＰＢＳと２つのダイクロイックフィルタを必要とする。これらのチャンネルは、ＬＣＤと投影レンズの間にＬＣＤの表示幅の３倍の最低光路長を要する。図１４において、青色光チャンネルは１つのＰＢＳと１つの単一ダイクロイックフィルタとを必要とするだけであるが、表示スクリーン上に全ての３画像を焦点を合わせて投影するために、その光路長は、他の２つのチャンネルの光路長と等しくしなければならない。
【０００６】
投影レンズの場合の実際の光路長は、ＬＣＤパネルで反射後の光の発散も考慮しなければならない。これは、光学系のＦ数（ｆ／＃）により通常規定される光学系の動作速度の関数である。ここで云う最小距離は、厳格には非常に高いＦ数（ｆ／＃）のシステムにのみ有効であり、スループットが低いので実用的でない。しかしながら、他のシステムと比較するには、この最小値は良い基準となる。この構造の唯一つの利点は、複数のダイクロイック構造の相互作用により色のろ波が最適化され、狭い帯域のカラーチャンネル用偏光ビームスプリッタの性能が発揮できることである。しかしながら、これらは、比較的小さい利点である。
【０００７】
投影表示装置の構造を簡素化する最も直接的な方法は、フィルタとビームスプリッタの構成に一連の所要システム動作の中の２つ以上の複数機能を実行させることである。図１５の投影表示システム５０は、２つの簡素化を含んでいる。第１の簡素化は、図１の投影システムの３枚の偏光ビームスプリッタに代えて、１個の単一の偏光ビームスプリッタ（ＰＢＳ）５２をランプ２４の直後に配したことである。単一のＰＢＳ５２は、色分離動作に先立ってランプの広帯域出力を偏光させ、全ての３つのＬＣＤに対する振幅変調制御装置として機能する。これは、ＰＢＳが全ての可視スペクトルに対して機能することを要求する。
【０００８】
第２の簡素化は、光を３つのカラーチャンネルに分割し、投影光学系に入力する前に反射光を再結合するために同一セットのダイクロイックフィルタを使用することである。これは、２つのダイクロイックフィルタ５４，５６だけで全システムの比色定量を制御しなければならないので、ダイクロイックフィルタのパスバンドを入念に制御することが必要である。上記のごとくの構成によりシステムの複雑さが軽減されることは、明らかである。
【０００９】
図１５に示すシステムの１つの難点は、投影レンズの後方作動距離の短縮が難しいことである。投影レンズは、ＬＣＤの表示幅の３倍を最小とする距離で作動しなければならない。この問題を解決する方法は、ダイクロイックフィルタの作用が、図１６の投影表示システム６０に示すように、ダイクロイックフィルタを十字に交差させる構造にしても変わらないことを確認することにより発見された。これにより、後方作動距離を図１４または図１５のシステムに比較して３３％、即ち、ＬＣＤの表示幅の２倍の最少距離にまで短縮することができる。
【００１０】
上記の構成においては、十字型に配されたダイクロイックフィルタ６４、６６は、２枚のフィルタプレートの交差点における動作が、そのプレートの厚みにより通常妨害され、画像の中央に継ぎ目が生じると云う問題が残念ながら生じる。その結果、フィルタープレートの交差により、３つのＬＣＤパネルの画像が全体または部分的に不明瞭になる。また、ダイクロイックフィルタの透過／反射特性がｐ偏光とｓ偏光とでかなり異なり、全投影レンズ系のカラー特性を制御することが困難になる。図１５、図１６及び図１７の構成は、この点で制限を受ける。
【００１１】
上記の問題は、図１７の投影表示システム７０において、４分割カラーキューブフィルタ７２を導入することにより解決される。ダイクロイックフィルタ７４、７６は、４個のキューブセグメントの表面に蒸着され、蒸着膜付キューブセグメントを互いに接着してキューブの対角線の横断内面においてシールされたダイクロイック被覆キューブを形成する。正しく組み立てられれば、この装置は、２つのダイクロイック層の中央交差による妨害を殆ど除去する。しかしながら、この装置は精度を要し、組み立てが難しく、カラーキューブ構成素子は高価である。図１７の構成は、また偏光ビームスプリッタキューブ７８が使用されている。この構成要素は通常光学システム用のものであり、組み立て条件がかなり軽減されるので追加経費も少なくてすむ。
【００１２】
これらのシステム構成に見られるように、反射ＬＣＤシステム構造に関する従来の技術は、いくつかの特別な長所と短所を併せ持ったものである。望ましい代替システムは、図１６と図１７に示したシステムの短い後方作動距離の利点を有し、かつ、精密に組み立てられた交差ダイクロイックフィルタの追加費用を要しないシステムである。
【００１３】
Ｊａｃｏｂｓｏｎ他の米国特許Ｎｏ．４，１２７，３２２は、光学的にアドレスされるヒューズの液晶光バルブ（ＬＣＬＶ）で代表される。上記米国特許の構成では、ランプの出力光がビームスプリッタで偏光され、ダイクロイックフィルタで３つの色光路に分割される。この構成は、図１５に示す従来の技術のシステムと同様である。上記米国特許には、１組みの追加のダイクロイックフィルタと３個の光バルブが配置され、偏光子により通常破棄される光を使用する他の実施形態も記述されている。光の未使用部分を再生するこの試みはシステムの出光量（スループット）の改善を目的としている。
【００１４】
幸田他の米国特許Ｎｏ．４，６５０，２８６と、Ｌｅｄｅｂｕｈｒ他の米国特許Ｎｏ．４，８３６，６４９とには、反射形液晶光バルブ（ＬＣＬＶ）を開示されており、これは、３個の光バルブの各々に個別の投影レンズを使用する点を除いて、図１４のシステムと略同じである。
【００１５】
高梨他の米国特許Ｎｏ．５，２３９，３２２には、光学的にアドレスされたＬＣＬＶ形光変調器のために独自に設計した他のシステムが記述されている。上記の米国特許に含まれているシステムは、図１６及び図１７に示す従来の技術の構造と同等であることは容易に認識できる。このシステムにおいて、ＬＣＬＶは、書込み光分布として示される画像で照明される。これらの書き込み分配光を生成するＣＲＴは通常対応光変調器に直接接続されている。
【００１６】
大井他の米国特許Ｎｏ．５，６４８，８６０では、２枚のダイクロイックプレートが使用され、光が３つのカラーチャンネルに分離され、ＬＣＤからの反射光が再結集される。この構成におけるプレートの角度は４５度ではなく、投影レンズ系の後方作動距離が減少するように設定される。上記米国特許の主目的の１つは、ＬＣＤパネルに直接接触する正のレンズエレメントを使用して、入射照明光を照準し反射光を集光することと、円錐状プリズムを使用して照明光の整合収束を効果的に行うことである。その他の全ての点においては、このシステムは、図２のシステムと略同じである。
【００１７】
Ｄｏｖｅの米国特許Ｎｏ．５，６５８，０６０は、光を３つの色光路に分離する１組みの外部ダイクロイックフィルタを有するシステムである。各光路中の光は、光バルブを照明する前に個別に偏光される。反射光は、通常“フィリップスのプリズム”と呼ばれる特別なプリズム装置を介して再結合される。フィリップスのプリズムは、投影レンズの後方作動距離条件を軽減するために用いられる。このシステムは、再結合用プリズムを使用しているが、構造的には図１４のシステムと同じである。この参照文書は、出力光を再結合するキューブビームスプリッタを使用するが、光を最初に３色光路に分離するために個別のダイクロイックフィルタを使用し各光バルブ毎に個別のＰＢＳを使用する他の実施態様も記述している。
【００１８】
Ｄｏａｎｙ他の米国特許Ｎｏ．５，６２１，４８６は、３枚のパネル形プロジェクタ用の簡単な構成を記述している。このシステムは、フィリップス型プリズムを使用して照明光を分離し、３つのＬＣＤからの反射光を再結合する。しかしながら、上記の構成は、カラー分離プリズムの前に単一のキューブ偏光ビームスプリッタを使用している。このシステムは従って図１６及び図１７の構造と同じである。
【００１９】
Ｓａｍｐｓｅｌｌの米国特許Ｎｏ．５，２３３，３８５及びＰｏｒａｄｉｓｈ他の米国特許Ｎｏ．５，６１２，７５３には、ＴＩディジタルミラー装置（ＤＭＤ）の光変調器用に設計された投影システムが記述されている。これらの米国特許は、単一のパネルカラーフィールドの逐次システム及び複パネルシステムの両方のシステム構造を含んでいる。複パネルシステムにおいては、フィリップス型カラー分離プリズムをカラー分離と再結合の実行のために用い、内部全反射（ＴＩＲ）プリズムをＤＭＤの光のオン・オフに使用している。この場合、このシステムは、ＰＢＳキューブの代わりにＴＩＲプリズムを用いている点を除き、図１７のシステムと略同じである。
【００２０】
透過光変調器を開示している参考文献として、小川の米国特許Ｎｏ．５，３２１，４４８及び中山他の米国特許Ｎｏ．５，６２６，４０９があり、後者は図１４のシステムの透過型に該当するシステムを開示している。ランプからの光は、１組のダイクロイックフィルタによって３色の光路に分割される。３つの光バルブを出射した各々の変調光は、別の１組みのダイクロイックフィルタにより再結合される。上記の米国特許Ｎｏ．５，３２１，４４８は、１組のダイクロイックフィルタを用いてランプの出力光を３つの色光路に分割し、カラーキューブプリズム状の別の１組みのダイクロイックフィルタを用いて変調光を再結合する。後者の構成は、透過光バルブに現在用いられている最も普通の構成である。
【００２１】
ＩＩ．偏光コンバータ
液晶ディスプレイ（ＬＣＤ）のような偏光変調装置に基づく投影表示装置は、ＬＣＤ照明プロセスの必要ステップとして、システムの光源から集められた光を偏光させるステップを含んでいる。必要な偏光状態は、代表的には、光変調器の好ましい方向と整合した偏光方向の直線偏光である。代表的な偏光装置を図１８に示す。光源からの光は、立方体を形成するように組み立てられた複数のプリズムより成る偏光ビームスプリッタ（ＰＢＳ）に入射する。これらのプリズム中の１つのプリズムの対角面に特別な誘電被膜を蒸着し、プリズムを互いに貼り合わせる際に２枚のガラスの間に封止する。この誘電被膜は、図１８の紙面に垂直方向に整列する電場ベクトルを有する光を強く反射する。この光は、一般にｓ偏光と呼ばれる。図１８の紙面に平行な電場ベクトルを有する光は通常ｐ偏光と呼ばれ、誘電被膜を透過する。
【００２２】
有効な光源で生み出される大多数の光はランダムに偏光しており、ｓ偏光とｐ偏光とを等分に含んでいる。ＰＢＳは、入射光の５０％をｓ偏光として反射させ、５０％をｐ偏光として透過させる。光が単一波長である場合には、正確に偏光分離させる、即ち、ｐ偏光を全く反射せずｓ偏光を全く透過させない特別な被膜を工夫することが可能である。しかしながら、広帯域の可視スペクトルに対する被膜構造の無効度が、達成可能な偏光度を制限する。
【００２３】
多くの投影表示システムにおいて、システムの光源からの光は、光変調器の要求する方向に偏光され、その偏光の垂直方向に偏光された残りの光は単純に捨てられる。これは、そのシステムにおいて、光源が生成する光の半分が使用されないため、システムの性能が大幅に低下することを意味している。偏光プロセスに発生する光の損失を取り戻すために、種々多数の偏光変換技法が工夫され試みられている。これらの技法による偏光変換器は、ある場合には偏光リサイクラとも呼ばれ、捨てられた光の偏光状態を光変調器が望む偏光状態と平行になるように再調整し、その光を照明システムに追加して戻す種々の技法を採用している。
【００２４】
図１９は、変換を達成するために平面反射鏡の表面による反射のみを用いて偏光変換を実施する光学システムの構成と作用とを示す斜視概略図である。ランプ３０１からの光は、偏光ビームスプリッタプレート３０２でｓ偏光とｐ偏光に分離される。ｓ偏光は光路の水平方向に方向付けられる。このｓ偏光は、２枚の反射鏡３２５，３２６で反射し、照明領域３０８の上部にｓ偏光として入射する。出射光に含まれるｐ偏光は、最初は光路の垂直方向に方向付けられているが、反射鏡３２３で反射して水平方向にその偏光方向が方向付けられる。出射光のｐ偏光はこうして水平方向のｓ偏光となり、反射鏡３２４で再度反射しても偏光方向が変化することなく、ｓ偏光として照明領域３０８の下部に達する。偏光板が１００：１の偏光率を持つ十分に有効な偏光板であるとすれば、ランプ出力光の約９８％を所望の水平方向のｓ偏光として照明領域３０８に入射させることができる。
【００２５】
図１９に示す光学システムは偏光変換を実施できるが、偏光変換器を常に考慮しなければならないことを示している。照明領域３０８は、変換前のｓ偏光またはｐ偏光の何れかにより覆われる照明領域の２倍の領域を有する。二つの反射鏡３２４，３２６を調節して、二つの小領域を原ランプ出力光と同じ領域に重ねることは確かに可能であるが、しかし、この調節により、照明領域に入射する光線の角度分布が増大する。一旦光学系が設定されたならば、照明領域の生成物と照明光線の角度範囲が不変となることが、光学システム全体に関する、特に照明システムの基本的な特性となる。照明システムにおいて、この不変特性は一般にエタンデュ（ｅｔｅｎｄｕｅ）と呼ばれている。
【００２６】
図１９の光学システムの場合、エタンデュはランプによって確定され、反射鏡の性質とランプに使用されているアークソースの物理的寸法とに依存する。偏光ビームスプリッタプレートにより２つの偏光に分離するプロセスは、残りの光学システムにより観察されるような第２の光源を効果的に生み出す。エタンデュは物理的または波動光学的と云うよりは幾何学的光学特性であるから、偏光状態には依存しない。かように、有効な第２光源は、原ランプと同じ大きさを有し、残りのシステム中におけるエタンデュの総計は、原ランプの２倍である。図１９から、照明領域が２倍であるから正味のエタンデュも２倍になることは明らかである。照明領域が原光ビームと同じ面積を持つように反射鏡を調整する場合、照明光線の角度範囲を２倍にするために、エタンデュも２倍になる。何れの場合も、偏光変換器の出力のランダムに偏光された入力のエタンデュの２倍である。
【００２７】
上記のごとくの２倍にすることに伴う問題は、照明システムの後の光学系がより大きいエタンデュを処理できないことである。残りの光学システムのエタンデュが偏光変換された照明分布の大きさと等しいかまたは大きければ、照明分布の全てを使用できる。もし、残りの光学システムの大きさが偏光変換照明分布の大きさより小さければ光の或る部分が損失となる。この光損失は、残りの光学システムの使用可能な視野面積を越えて過照射するか、あるいは残りの光学系の開口数を越えて過照射することにより発生する。この場合、システムのスループットの増加は、エタンデュが完全に一致した構成における２倍改善値（Ｔｗｏｆｏｌｄ  Ｉｍｐｒｏｖｅｍｅｎｔ）よりも小さい。残りの光学系のエタンデュが原ランプ出力のエタンデュと等しいという極端な場合には、その光学系の使用可能な面積または開口数の外に全変換光線が入射するので、システムのスループットにおける利得は何も無い。
【００２８】
図１９の光学システム（偏光変換器）は、非常に簡単な構成品、即ち、偏光ビームスプリッタと全反射鏡で実現できる利点を有する。欠点は、多数の構成要素、即ち、１つの偏光ビームスプリッタと４枚の反射鏡とを含むことである。これは、外装及び寸法に問題を生じる。図２０は、より少ない数の構成要素ですむ偏光変換光学系の構成例を示す図である。このシステムにおいて、偏光ビームスプリッタは、再度、ｓ偏光とｐ偏光に分離するために使用される。この偏光ビームスプリッタからのｓ偏光状態の光は反射鏡（またはｓ状態光を反射する他の偏光子）により再び反射され、偏光ビームスプリッタにより透過したｐ偏光と同じ伝搬方向を得る。
【００２９】
次にｓ偏光は、１／２波長板と呼ばれる特別な結晶光学構成部品を通過する。１／２波長板は、結晶構造の異なる方向に従って異なる屈折率（複屈折特性）を有する材料より製作されている。この材料内の光の伝搬速度は、屈折率に依存する。最高屈折率の結晶軸方向に偏光された光は、この軸に垂直に偏光された光より遅く伝搬する。この軸は結晶の主軸と呼ばれる（異常軸と呼ばれることもある）。直線偏光が１／２波長板の主軸に対し、いくらかの角度を持った偏光方向で入射する場合、その直線偏光は主軸に沿った光成分と主軸に垂直な光成分の合計として記述できる。主軸に平行な成分は伝搬速度が遅いので、遅れるかまたは減速され、この遅れが光の真の偏光方向を回転させる。
【００３０】
１／２波長板の場合、主軸に対しθの角度で入射する直線偏光は、２θだけ回転して出射する。図２０の１／２波長板をその主軸がｓ偏光の偏光方向に対し４５度の角度をなすように設定すると、その偏光は９０度回転し、偏光ビームスプリッタを透過するｐ偏光に平行になる。これにより、被照射対象はｐ偏光（偏光ビームスプリッタの効率範囲内のｐ偏光）のみを受光する。この対象における照明分布のエタンデュは、照明面積が大きいので原ランプ出力のエタンデュの再度２倍であることは図２０からも明らかである。
【００３１】
図２１は、図１１に示すシステムを少し変更した構成例を示す図である。図２１のシステムは、反射鏡と波長板とを傾斜させ、２つの照明区域を一致させている。図２１から明らかなように、照明面積は原ランプからの出射面積と同じであるが、照明光線の角度範囲が増大する。この分布を分析すれば、エタンデュが再度２倍になることが判明する。
【００３２】
図２２は、他の偏光変換技法を説明するための光学システムの構成を示す図で、この光学システムでは一対の偏光ビームスプリッタと、１つの１／４波長板と１枚の反射鏡とを使用する。ランプから出射した未偏光の光が偏光ビームスプリッタを通過し、ｓ偏光とｐ偏光とに分離される。図２２の構成において、ｓ偏光成分は直接被照明対象の１領域に向かう。一方、ランプ出射光のｐ偏光成分は第２の偏光ビームスプリッタに入射し、分離面を再度通過し、通過光は次に１／４波長板を通過する。１／４波長板は、前述の１／２波長板と同様に複屈折性の結晶を有するものであり、その特性に従って通過する光に遅れまたは減速を生じさせる。
【００３３】
直線偏光が上記の１／４波長板に、その結晶主軸に対し４５度の偏光方向角度で入射すると、出射光は円偏光となる。この円偏光の右または左の旋光方向は、波長板の主軸方向と偏光方向との正確な関係に依存するが、ここに説明する偏光変換プロセスにとっては重要ではない。１／４波長板から出射した円偏光は、次に反射鏡に入射して反射し、１／４波長板を逆から通過する。円偏光が平面反射鏡で反射すると、旋光方向が逆になる。この反射光は、１／４波長板を逆から通過し、１／４波長板の複屈折性結晶による減速により、直線偏光に変換される。
【００３４】
上記の１／４波長板を左側に向かって通過する円偏光の旋光方向は、最初に１／４波長板を通過した時の旋光方向とは逆になっている。１／４波長板を左方向に出射する光の直線偏光は、従って、同波長板に右方向から入射する光の直線偏光に対し垂直である。１／４波長板に入射するｐ偏光は、かように、１／４波長板と反射鏡との組み合わせによりｓ偏光に変換される。得られたｓ偏光は、次に第２ビームスプリッタの偏光面で反射し、被照明対象の異なる部分を照射する。上述した変換方法のように、被照明面積は、原ランプの出射光面積に対し２倍である。あるいは、この光を照明分布の角度範囲を２倍にして同じ面積を照明するように構成できる。何れの場合も、エタンデュは２倍である。
【００３５】
図２３（Ａ）は、フライズアイ統合照明システムと協働する偏光変換の具体的な実施例を示す図で、図２３（Ｂ）は、図２３（Ａ）の照明装置を使用した全投影表示システムを示す図である。ここでは液晶光バルブ（ＬＣＬＶ）において均一な矩形照明分配光を生成するために、フライズアイレンズアレイを使用する。偏光ビームスプリッタ（ＰＢＳ）のアレイをこの構成に導入し、第１レンズアレイで光を焦点に集める。図２３（Ａ）の拡大図に示すように、このＰＢＳアレイは、偏光ビームスプリッタと１／２波長板よりなり、略全部の光をｓ偏光に変換する。この変換プロセスは図１４の構成による実施例の場合と同じである。
【００３６】
別のタイプの偏光変換器が、Ｈｅｙｎｄｅｒｉｃｋｘ他の米国特許Ｎｏ．５，６２６，４０８に開示されている。上記の特許において、コレステリックフィルタを用いてランプの出力光を、３パネル形ＬＣＤ投影装置に要する赤と緑と青の色光チャンネルに分離するシステムが開示されている。コレステリックフィルタに適した偏光変換技法をこのシステムに適用している。上記の米国特許の図１４を参照する。ランプ３の出射光は、照明システムに向かう。システムの第１素子は、コレステリックフィルタ９である。コレステリックフィルタ９は右円偏光（右方向に旋光する円偏光）の赤色光を反射し、その他の全てのランプ出力光を通過させる。反射赤色光は、反射鏡でさらに反射してコレステリックフィルタ９に直接戻される。光は反射鏡での反射により左円偏光に変わり、コレステリックフィルタ９を通過して素子６３に向かう。
【００３７】
次のコレステリックフィルタ１０は、左円偏光の赤色光を反射して素子６３に向かって出射させる。これにより、ランプの出力の赤色光が全て左円偏光に変換される。素子６３は１／４波長板であり、この光をＬＣＤ変調器２７が要求する偏光方向の直線偏光に変換する。ランプ出力の緑と青の色光部分は、緑色光用のコレステリックフィルタ１１，１２と、青色光用のコレステリック液晶１３，１４を用いる同様なプロセスにより左円偏光に変換される。１／４波長板６５，６７は円偏光の分配光を、ＬＣＤ変調器２９，３１が要求する偏光方向の直線偏光に変換する。
【００３８】
また、Ｈｅｙｎｄｅｒｉｃｋｘ他は、非偏光の光を２つの偏光ビームに変換する複合円偏光素子を開示している。偏光ビームは次にコレステリックフィルタで反射されＬＣＤ変調器に向かう。
【００３９】
高梨他の米国特許Ｎｏ．５，１２２，８９５には、図２２の構成部品と同じ１対のキューブ偏光ビームスプリッタと１／４波長板と反射鏡とを用いた偏光変換器が記載されている。上記の米国特許における発明の主たる特徴は、１／４波長板を液晶または電気活性光学材で実現した能動素子としたことで、これにより、変換プロセスを制御信号でオンオフすることができる。
【００４０】
高梨他の米国特許Ｎｏ．５，１６４，８５４には、反射ＬＣＤ投影システム用偏光変換器の幾つかの実施例が記載されている。これらの実施例は、図２０と本質的に同じビームスプリッタと１／２波長板の構成素子とを含んでいる。上記の米国特許は、全ての場合において、変換した偏光の角度分布を相応に増大させて、当該偏光を小照明領域に向けるように構成素子を配列させる努力がなされている。
【００４１】
唐沢他の米国特許Ｎｏ．５，２００，８４３と米国特許Ｎｏ．５，２７８，６８０には、図１４ないし図２１に示す全３タイプの変換器の実施例が記載されている。
【００４２】
Ｎｉｃｏｌａｓ他の米国特許Ｎｏ．５，２９９，０３６には、２つのフルカラーＬＣＤ変調器を使用する投影装置が記載されている。ビームスプリッタは、光を２つの変調器に向けて分割し、分割した１つの光路には１／２波長板が配され、偏光を回転させてＬＣＤ導波器で正しくアラインさせる。残りの光学システムは２つの被投影ＬＣＤパネルの光成分を再結合してアラインさせる。上記のものでは２つのＬＣＤ変調器が使用されているが、そのコンセプトは、図２０のビームスプリッタと１／２波長板を用いる方法と類似している。
【００４３】
Ｂｌａｎｃｈａｒｄ他の米国特許Ｎｏ．５，３０３，０８３には、図２０のビームスプリッタと１／２波長板を用いる構成と図２２のビームスプリッタと１／４波長板を用いる構成の両方の特徴を有する偏光変換器が記載されている。ビームスプリッタにより通常失われる光は、１／４波長板により先ず円偏光に変換され、４５度の反射鏡で反射され、次に第２の１／４波長板を通過し、ビームスプリッタからの出射光と同じ方向の直線偏光となる。
【００４４】
Ｓｉｎｇａｋｉ他の米国特許Ｎｏ．５，３８１，２７８とＭｉｔｕｔａｋｅ他の米国特許Ｎｏ．５，５６６，３６７には、多数の偏光変換技法が記載されているが、それらは、上述したビームスプリッタ及び１／２波長板を用いる方法と、またビームスプリッタ及び１／４波長板を用いる方法と本質的に同じである。また、これらの特許には、投影照明システムにおけるフライズアイ・インテグレータと共に使用する小型の変換プリズム構成のアレイが記載されている。この変換器アレイの構成は、図２３（Ａ）及び図２３（Ｂ）に示すシステム構成と類似している。
【００４５】
加藤他の米国特許Ｎｏ．５，６５３，５２０には、ビームスプリッタと１／２波長板とを用いる大型のマルチセグメントコンバータが記載されている。この構成は、大型ＬＣＤパネルと共に使用するものであり、複数のセグメントを用いて大型光変調器に対し全変換と均一な照明とを達成する。この変換プロセスは、ビームスプリッタ及び１／２波長板を用いるプロセスと同じである。
【００４６】
宮竹他の米国特許Ｎｏ．５，６５７，１６０には、波長板を用いない平面反射鏡での反射だけによる偏光変換プロセスが記載されている。このプロセスは、図１４に示されているプロセスと本質的に同じである。また、上記の特許は、小形プリズム構造の内部反射を用いるプロセスによる小形変換器のアレイを記載している。またこの構成は、プロジェクタ照明システムにおけるフライズアイインテグレータと共に使用する。
【００４７】
上述した偏光変換器は全て、ランプの全３色光帯域の全出力光を単一の直線偏光に変換する。Ｈｅｙｎｄｒｉｃｋｘ他の米国特許Ｎｏ．５，６２６，４０８だけが、例外として前述したように、各色を個別に処理することを記載しているが、但し、これはコレステリックフィルタを用いて色光を分離するに過ぎない。この米国特許のシステムは、最終的に全ての３色光の帯域を同じ直線偏光にする。
【００４８】
【発明が解決しようとする課題】
本発明は、上述のごとき実情に鑑みてなされたもので、投影レンズの後方作動距離が小さく、交差ダイクロイック素子の妨害が無い投影光路を有し、３色光に分離させて再結合を行う構成素子の構造が比較的簡素で、高輝度装置に応用できる効率の良い偏光変換器により、コンパクトで低コストで製作できるシステムを実現できる偏光変換器及び投影表示システムを提供することを目的とするものである。
【００４９】
【課題を解決するための手段】
本発明は、少なくとも２つの光成分を有する光ビームを発生する光源と共に使用する偏光変換器を提供する。この偏光変換器は、光ビームを、異なる偏光方向に偏光された少なくとも２つの光成分に分離できる光学素子アレイより成る。偏光変換器は、異なる偏光成分を準備し、透過光量を増加させる。偏光変換器の好ましい実施態様において、偏光変換器のエタンデュは、光源の大きさの３倍から１／２倍以下であり、場合によっては２倍のみである。本発明の特定の態様では、小さい幾何寸法と簡素な光学素子とを提供する。
【００５０】
本発明は、また、少なくとも２つの光成分を有する非偏光の光ビームを発生することより成る光変換方法を供給する。光は少なくとも２つの異なる偏光を有する光成分に分離される。光ビームの略全てがこの偏光変換器により透過光として供給される。
【００５１】
本発明は、さらに、少なくとも２つの光成分を有し、光成分が偏光されて少なくとも１方の光成分が他方の光成分と異なるように偏光される光ビームを発生する光源より成る反射型光バルブ用投影表示システムを提供する。投影表示システムは、光成分の少なくとも１つを反射し、少なくとも他の１つを透過させる複数の偏光ビームスプリッタと、ダイクロイックフィルタと、前記の光成分のそれぞれに関して特定画像を生成する複数のＬＣＤとを有する。さらに、投影表示システムは、複数のＬＣＤから出射した各々の光成分の特定画像を結合した結合画像を投影する投影レンズを有している。
【００５２】
本発明の他の態様において、投影表示システムは偏光を利用し、少なくとも２つの光成分を有し、光成分が偏光され少なくとも１方の光成分が他方の光成分と異なるように偏光される光ビームを発生する光源より成る。この表示システムは、複数の偏光変調器を含む投影システムを有しており、各変調器は、光成分の１つと関して特定画像を生成する。また、この表示システムは、変調器からの光成分特定画像を結合した結合画像を投影する投影レンズを有する。
【００５３】
本発明による投影表示システムは、投影レンズの後方作動距離が短い、投影光路が交差ダイクロイック素子の障害を受けない、３色光成分の分離と再結合に使用する構成素子が比較的簡素な構成である、コンパクトサイズである、現存システムに比較して安いコストで製作できる、等の利点のうち少なくとも一つ以上の利点を有する。
そして、各請求項は以下のごとくの技術的手段により構成される。
【００６６】
【発明が解決しようとする手段】
請求項１の技術手段は、赤緑青の３つの光成分のうちの第１の光成分の偏光方向と、第２及び第３の光成分の偏光方向とが互いに異なっている光を出射する光源と、該光源から出射した光成分を用いて生成した画像を投影する投影装置とを有する投影表示システムであって、前記投影装置は、前記光源から出射した光成分のうち、前記第３の光成分を透過させ、前記第１及び第２の光成分を反射させる第１のダイクロイックフィルタと、該第１のダイクロイックフィルタを透過した前記第３の光成分を反射し、該第３の光成分の偏光方向と直交する偏光方向の光を透過させる第１の偏光ビームスプリッタと、該第１の偏光ビームスプリッタで反射した前記第３の光成分を入射させ、該入射した第３の光成分を変調して偏光方向を回転させて反射する第１のＬＣＤと、前記第１のダイクロイックフィルタで反射した前記第１及び第２の光成分のうち、第２の光成分を反射し、第１の光成分を透過させる第２の偏光ビームスプリッタと、該第２の偏光ビームスプリッタを反射した前記第２の光成分を入射させ、該入射した第２の光成分を変調して偏光方向を回転させて反射する第２のＬＣＤと、該第２の偏光ビームスプリッタを透過した前記第１の光成分を入射させ、該入射した第１の光成分を変調して偏光方向を回転させて反射する第３のＬＣＤとを有し、前記第１の偏光ビームスプリッタは、前記第１のＬＣＤで反射した前記第３の光成分を透過させ、前記第２の偏光ビームスプリッタは、前記第２のＬＣＤで反射した前記第２の光成分を透過させるとともに、前記第３のＬＣＤで反射した前記第１の光成分を反射させ、さらに前記第１の偏光ビームスプリッタを透過した前記第３の光成分を反射させるとともに、前記第２の偏光ビームスプリッタを透過した前記第１の光成分及び第２の偏光ビームスプリッタで反射した前記第１の光成分を透過させる第２のダイクロイックフィルタと、該第２のダイクロイックフィルタを出射した前記第１、第２及び第３の光成分を入射させ、被投影面に投影画像を投影する投影レンズとを有し、前記第１及び第２のダイクロイックフィルタが直線状に配列され、かつ前記第１及び第２の偏光ビームスプリッタが直線状に配列され、各前記ダイクロイックフィルタと各前記偏光ビームスプリッタとがＸ字状に交差するように配置されていることを特徴としたものである。
【００６７】
請求項２の技術手段は、赤緑青の３つの光成分のうちの第１の光成分の偏光方向と、第２及び第３の光成分の偏光方向とが互いに異なっている光を出射する光源と、該光源から出射した光成分を用いて生成した画像を投影する投影装置とを有する投影表示システムであって、前記投影装置は、前記光源から出射した光成分のうち、前記第３の光成分を透過させ、前記第１及び第２の光成分を反射させる第１のダイクロイックフィルタと、該第１のダイクロイックフィルタを透過した前記第３の光成分を反射し、該第３の光成分の偏光方向と直交する偏光方向の光を透過させる第１の偏光ビームスプリッタと、該第１の偏光ビームスプリッタで反射した前記第３の光成分を入射させ、該入射した第３の光成分を変調して偏光方向を回転させて反射する第１のＬＣＤと、前記第１のダイクロイックフィルタで反射した前記第１及び第２の光成分のうち、第２の光成分を反射し、第１の光成分を透過させる第２の偏光ビームスプリッタと、該第２の偏光ビームスプリッタを反射した前記第２の光成分を入射させ、該入射した第２の光成分を変調して偏光方向を回転させて反射する第２のＬＣＤと、該第２の偏光ビームスプリッタを透過した前記第１の光成分を入射させ、該入射した第１の光成分を変調して偏光方向を回転させて反射する第３のＬＣＤとを有し、前記第１の偏光ビームスプリッタは、前記第１のＬＣＤで反射した前記第３の光成分を透過させ、前記第２の偏光ビームスプリッタは、前記第２のＬＣＤで反射した前記第２の光成分を透過させるとともに、前記第３のＬＣＤで反射した前記第１の光成分を反射させ、さらに前記第１の偏光ビームスプリッタを透過した前記第３の光成分を透過させるとともに、前記第２の偏光ビームスプリッタを透過した前記第１の光成分及び第２の偏光ビームスプリッタで反射した前記第１の光成分を反射させる第２のダイクロイックフィルタと、該第２のダイクロイックフィルタを出射した前記第１、第２及び第３の光成分を入射させ、被投影面に投影画像を投影する投影レンズとを有し、前記第１及び第２のダイクロイックフィルタが直線状に配列され、かつ前記第１及び第２の偏光ビームスプリッタが直線状に配列され、各前記ダイクロイックフィルタと各前記偏光ビームスプリッタとがＸ字状に交差するように配置されていることを特徴としたものである。
【００６８】
請求項３の技術手段は、請求項１または２に記載の投影表示システムにおいて、前記第１の偏光ビームスプリッタ、前記第２の偏光ビームスプリッタ、前記第１のダイクロイックフィルタ、及び前記第２のダイクロイックフィルタのそれぞれは、その入射面に対して４５度の角度で入射光を入射させるように配置され、前記第１ないし第３のＬＣＤは、その入射面に対して９０度の角度で入射光を入射させるように配置されていることを特徴としたものである。
【００７３】
【発明の実施の形態】
Ｉ．投影表示システム
図１は、本発明による投影表示システムの一実施例における構成とその作用とを説明するための概略図である。投影表示システム８０は、光源８２と投影システム８３とを含んでいる。投影システム８３は、２つのダイクロイックフィルタ（ＤＦ）８４，８６と、２つの偏光ビームスプリッタ（ＰＢＳ）８８，９０とを含んでおり、光源８２からの入射白色光を赤／緑／青（ＲＧＢ）の成分に分離し、各々の光ビーム成分を特定の光バルブまたは液晶表示装置（ＬＣＤ）９２，９４，９６に送る。ＬＣＤ９２，９４，９６は、各々、１つの光成分用の特定画像を供給し、各光ビーム成分が特定画像を照射することによりカラー画像が得られる。ＬＣＤの表面で反射した各々のカラー画像成分は、次に再結合され、反射光が投影レンズ９８に向かう。
【００７４】
投影システム８３が正常に作動するための必要条件は、入射照明光における緑と青の成分がｓ偏光に、赤成分がｐ偏光になるように予めろ波され偏光されることである。当業者には知られているように、ｓ偏光は紙面に垂直方向に直線偏光された電場ベクトルを有しており、ｐ偏光は紙面に平行に直線偏光された電場ベクトルを有している。また、プレフィルタ装置については後述する。
【００７５】
ダイクロイックフィルタ（ＤＦ）８４，８６は、偏光ビームスプリッタ（ＰＢＳ）８８，９０と同様、投影システム８３内で略一直線に配置される。ＤＦ８４，８６とＤＢＳ８８，９０は、各々がなす直線の中央点付近で、互いに直線が直交するように配置される。別の言い方をすれば、これらの光学素子を略Ｘ字状構造に、即ち、ダイクロイックフィルタと偏光ビームスプリッタとを互いの端縁で隣接させて連結する。被覆面はＸ字構造において各々一列に整列する。
【００７６】
投影システム８３において、入射光は先ず青透過ダイクロイックフィルタ８４に入射する。ダイクロイックフィルタ８４では、ｓ偏光青色光は透過するが、ｓ偏光緑色光とｐ偏光赤色光は反射する。透過した青色光はＰＢＳ８８に入射し、ｓ偏光であるので青色光変調器である第１のＬＣＤ光バルブ９６に向けて反射される。第１のＬＣＤ９６は、供給された電気信号に比例して偏光の偏光方向を回転させることにより変調する。反射光は、かようにｓ偏光とｐ偏光との組み合わせである。
【００７７】
第１のＬＣＤ９６で反射した反射光はＰＢＳ８８に戻り、ｓ偏光成分は後方の入射照明方向に反射され、ｐ偏光部分は透過して青反射ダイクロイックフィルタ８６に入射する。このｐ偏光青色光は、第２のダイクロイックフィルタ８６で反射して投影レンズ９８を通過し、例えば投影スクリーンのような画像表示装置に投射される。
【００７８】
一方、第１のダイクロイックフィルタ８４で反射した緑と赤の光は、第２のＰＢＳ９０に向かう。第２のＰＢＳ９０においては、ｐ偏光赤色光は通過して赤色光変調器である第２のＬＣＤ９２に向かい、ｓ偏光緑色光は反射して緑色光変調器である第３のＬＣＤ９４に向かう。第２及び第３のＬＣＤ９２，９４は、それぞれの分配光を変調して反射光として第２のＰＢＳ９０に戻す。第２のＰＢＳ９０では、各ＬＣＤ９２，９４の変調により得られたｐ偏光緑色光が通過し、ｓ偏光赤色光が反射して青反射ダイクロイックフィルタ８６に進む。これらの２つの分配光の他の部分は再び入射照明方向に戻される。青反射ダイクロイックフィルタ８６は赤色光と緑色光の両方を通過させるので、これらの２つの光成分が他の光路からの青色光と一緒になり、投影レンズ９８を通り画像表示装置に投射される。青反射ダイクロイックフィルタ８６は、本実施例においては画像再結合手段として機能する。
【００７９】
図１の構成から明らかなように、各ＬＣＤから投影レンズ９８までの光路において、各光路には全て１つだけのＰＢＳと１つだけのダイクロイックフィルタが配されている。この構成では、光路長はＬＣＤパネルの表示幅の２倍の最小長まで減少させることができる。ここに記述するタイプの投影システムに用いられる代表的な反射ＬＣＤパネルは、対角線寸法で、通常約７ｍｍから５ｃｍまでの範囲であって、光路長は、通常、約１．６ｃｍから１４ｃｍ以上である。しかしながら、この構成においては、光路中のどのカラーフィルタまたは偏光要素も交差させる必要がない。従って、図１６及び図１７の構成と同様に、この投影光路にはいかなるタイプの障害物も存在しない。これは重要な性能上の長所である。また図１の構成は、薄板状のダイクロイックフィルタとＰＢＳを用いて容易に実現でき、キューブプリズム構成に比べてはるかに安価なコスト面の利益をもたらす。
【００８０】
投影表示システム８０は、図２に示すように、図１の投影システム８３と、この構造を正常に作動させる入力光の特別な組み合わせを得るに必要なプレフィルタ光学系とを装備した照明装置の特別な態様を含んでいる。光源８２は、ランプ１００と、反射鏡１０２と、ダイクロイックフィルタ（ＤＦ）１０４，１０８と、偏光ビームスプリッタ（ＰＢＳ）１０６，１１０とを含んでいる。ランプ１００から非偏光の白色光ビームが赤色光透過ダイクロイックフィルタ１０４に入射する。ランプからの青色光と緑色光は赤色透過ダイクロイックフィルタ１０４で反射し、ＰＢＳ１０６に向かう。
【００８１】
上記の緑色光と青色光のｓ偏光は、ＰＢＳ１０６で反射し、赤色光反射ダイクロイックフィルタ１０８に向かい、緑色光と青色光のｐ偏光はストップ１０９に吸収される。赤反射ダイクロイックフィルタ１０８を通過した２つの分配光は、投影システム８３にｓ偏光青色光とｓ偏光緑色光とを供給する。ダイクロイックフィルタ１０４を透過した非偏光の赤色光は、ＰＢＳ１１０で偏光され、ｓ偏光成分は反射して赤色光反射ダイクロイックフィルタ１０８に向かい、ｐ偏光赤色光成分はストップ１１１に吸収される。ｓ偏光赤色光は、ダイクロイックフィルタ１１２に入射する前に１／２波長板１１２を通過し、その際に光の偏光方向が９０度回転し、ｐ偏光となる。このｐ偏光赤色光は、赤色光反射ダイクロイックフィルタ１０８で反射し、投影システム８３へ入射するｐ偏光赤色光となる。
【００８２】
このプレフィルタ光学系は、全く標準的で安価なフィルタ素子を用いて実現できる利点を有する。この装置の１つの欠点は、ＰＢＳ１０６，１１０と、ストップ１０９，１１１とを各々通過する分配光が吸収され失われることである。この光は、ランプ１００からの全出力光の半分である。この光損失レベルは、偏光変換器またはリサイクラを使用しないＬＣＤ投影システムに特有のものである。第２の欠点は、プレフィルタ光学系により追加される寸法が、全体のシステムのサイズを増大させることである。完全なシステムのサイズは、簡単なプレートフィルタとＰＢＳを使用しているので、図１４の原反射構造よりは小さいが、図２と図３の構成よりかなり大きい。
【００８３】
このサイズ問題は、図３及び図４に示すようなプレフィルタ光学系の他の実施例において解決される。図３は、光源フィルタスタックの実施例を示す図である。フィルタスタック１１３は特別に設計されたコレステリックカラーフィルタ１１４，１１６，１１８を用いている。コレステリック結晶は、渦巻き状に旋回した分子配列を有する化学構造物質である。これらの材料は、コレステリックの渦巻き線のピッチに等しい波長の光を、その光がコレステリックの渦巻き線の方向と同じ回転方向を有する円偏光であれば全反射する光学特性を有している。かように、コレステリックフィルタは、１色光の左又は右回りの円偏光成分を反射し、逆（右又は左）回りの円偏光成分を透過させるように設定することができる。このコレステリックフィルタは、他の色光には影響を与えずにいずれの旋光方向の偏光も通過させる。コレステリック材の化学構造は、この反射特性をかなり広い波長範囲に拡大できる様に操作することが可能である。この帯域は、反射される光部分に対し任意所望のカラーパスバンドになる様に調節できる。
【００８４】
フィルタスタック１１３のプレフィルタの動作を以下に説明する。非偏光の白色光が左側からフィルタスタックに入射する。第１のフィルタ１１４は、赤色光の右円偏光成分を反射し、赤色光の左円偏光成分と緑色光と青色光の全円偏光を通過させるように設計されている。第２のフィルタ１１６は、緑色光の左円偏光成分を反射するように設計されている。緑色光の右円偏光成分は、赤色光の左円偏光成分と未偏光の青色光と共に通過する。第３のフィルタ１１８は、青色光の左円偏光成分を反射し、青色光の右円偏光成分と入射光の残り部分、即ち、緑色光の右円偏光成分と赤色光の左円偏光成分とを通過させるように設計されている。
【００８５】
円偏光は、１／４波長板１２０を通過させることにより直線偏光に変換することができる。右円偏光は、波長板材料の結晶光学軸に対し＋４５度の偏光方向を持つ直線偏光として１／４波長板１２０を出射する。左円偏光は、１／４波長板１２０を直線偏光として出射するが、その偏光方向は波長板の結晶光学軸に対し−４５度となる。かように，１／４波長板の軸を正しく配すれば、右円偏光の緑色光と青色光はｓ偏光として出射し、左円偏光の赤色光はｐ偏光として出射する。これは、投影構造の画像形成部分が所望する入力状態である。
【００８６】
図４のシステムは、完全な投影表示システム８０を実現するために、プレフィルタスタック１１３をランプ１００を構成要素とする光源８２の後に使用している。投影表示システム８０は、図２に示す多くの通常構成品を使用した装置よりかなり小さい。この実施形態の主たる利点は、サイズが小さいことである。この構成は、コレステリックフィルタがパスバンド内の未偏光の光の半分を反射するので、図２の構成と同様な光損失の問題を抱えている。これも、また多くの液晶表示装置に特有の問題である。もう１つの欠点は，コレステリック材の未熟さである。現時点において、フィルタ材料がダイクロイックフィルタ及び偏光ビームスプリッタに使用される誘電スタック材料と同じくらい有効か、或いは耐久性があるかについては明らかでない。図４のシステムは、これらの質問に十分な回答が与えられるならば、好適な実施態様である。
【００８７】
システム８０における投影システム８３の実施例は、好ましい態様である。但し、色光及び偏光の配置方法には複数の代案がある。一例を挙げれば、図１中の第１のダイクロイックフィルタ８４を赤色光透過型に変更し、第２のダイクロイックフィルタ８６を赤色光反射型に変更し、プレフィルタでは緑色光と赤色光をｓ偏光に、青色光をｐ偏光にする。この場合、赤色光と緑色光を変調しているＬＣＤ９２とＬＣＤ９６の役割が逆になる。その他のすべての点に関しては、図１のシステムと同じである。しかしながら、このタイプのシステムを、緑色光を変調するＬＣＤを有する緑色光反射及び緑色光透過ダイクロイックフィルタと共に組み立てることは望ましくない。
【００８８】
緑色光用ダイクロイックフィルタは可視スペクトルにおいて２つの帯域エッジ、即ち赤と緑を分離する帯域エッジと青と緑を分離する帯域エッジとを有している。これらの帯域エッジの位置は、光の偏光に高い依存性を有する。緑色光用ダイクロイックフィルタを使用する場合、赤色光又は青色光の何れかは緑色光とは反対の状態に偏光され、２つの異なる偏光状態間の帯域エッジにおいて、ろ波の制御が不十分になる。
【００８９】
図１のシステムにおいて、青色光用ダイクロイックフィルタを使用し、両フィルタの帯域エッジで青色光と緑色光を分離する。これらの分配光を最初に青色光透過ダイクロイックフィルタで分離し、次に青色光反射ダイクロイックフィルタで再結合する場合、両分配光とも同じ偏光となる。両フィルタの帯域エッジにおけるろ波は、従って良好に制御できる。赤色光用ダイクロイックフィルタを用いる場合も同様である。
【００９０】
図５の投影表示システム１２２は、投影システム１２４を含んでいる。この投影システム１２４は、投影システム８３の構成品に加えて、青透過ダイクロイックフィルタ１２６を投影レンズの直前に、図４の青反射ダイクロイックフィルタ８６に代えて配置している。その結果、再結合された光成分の投影システム１２４からの出射方向は、図４の投影システム８３の出射方向と９０度異なっている。この実施形態は、いくつかの製品にパッケージの面で利点をもたらすことができる。図５の第１の青透過フィルタ８４は、その帯域エッジでｓ偏光に変換された青色光と緑色光を分離し、第２の青透過フィルタ１２６は、ｐ偏光された青色光と緑色光を再結合するために使用されていることに注意すべきである。前節に記した理由により、これらのフィルタは同一ではない。
【００９１】
ＩＩ．スペクトル分布偏光変換器
本発明は、さらに、光を２つの個別の光成分で各成分が異なる偏光を有する光成分に変換する方法と装置を提供する。ここで使用する光成分は、赤、青及び緑の光成分のような異なる色またはスペクトル帯域幅を意味する。偏光を用いる投影表示システムに必要なプレフィルタ処理に関連し、前述したように、システムのスループットは、偏光変換器を用いることにより改善できる。本発明の投影システムは、１つの光成分をもう１つの光成分の偏光とは異なるように偏光させることを要求するが、従来の偏光変換器では要求される偏光が供給されない。異なる偏光は、その偏光方向に９０度の方位差を有するのが好ましいが、所望ならば、任意の他の角度または相対関係とすることができる。また、右及び左円偏光を使用してもよい。各々の光成分に対し、任意の組みの波長範囲を、所望に応じて使用できることも理解されよう。また、任意数の光成分を同様に所望に応じて使用できる。従って、本発明は、さらに、各光成分毎にプレフィルタで処理して必要な偏光を供給するスペクトル分布偏光変換器を供給する。
【００９２】
図６を参照する。第１ステップは、未偏光の少なくとも２つの光成分を有する光ビームを生成する。第２ステップは、その光を異なる偏光を有する２つの光成分（ｓ偏光，ｐ偏光）に分離し、略全部の光ビームを透過させる。上記の第２ステップは、種々の方法で実行することができる。１つの方法は、光を先ず第１の偏光を有する第１の偏光成分と第２の偏光を有する第２の偏光成分とに分離する。次に第１偏光成分を、スペクトルで第１光成分と第２光成分に分離する。第１光成分の偏光を次に反対の第２偏光に変換する。同様にして、第２光成分をスペクトルで第１光成分と第２光成分に分離する。第１光成分の偏光を次に第１偏光に変換する。この結果、第１光成分は全光が第２偏光を有し、第２光成分は全光が第１偏光を有する。
【００９３】
図６に示す方法を実施するために幾つかの光学システムを採用することができる。図７は、かような簡単な光学システムの一例を示す構成概略図である。偏光変換器２００は、赤と緑と青の光成分を有する非偏光の白色光を発生する光源２０２と共に使用する。この偏光変換器２００は、白色光を異なる偏向状態を有する少なくとも２つの色光成分に分離する光学素子アレイを有している。白色光は先ず偏光ビームスプリッタ２０６に入射する。この偏光ビームスプリッタ２０６は、ｓ偏光を反射し、ｐ偏光を透過させる。
【００９４】
透過したｐ偏光成分は、次に、第１のダイクロイックフィルタ２０８に入射し、青と緑の光成分が反射し、かつ赤色の光成分が透過する。赤色光成分は、さらに４５度の角度でアラインされた反射鏡２１０に入射して反射する。赤色光成分は次に１／２波長板２１２に入射し、ｐ偏光からｓ偏光に変換されて出射する。同様に、偏光ビームスプリッタ２０６で反射したｓ偏光は、第２のダイクロイックフィルタ２１４に入射し、緑と青の光成分が反射し、赤の光成分が透過する。反射した青と緑の光成分は、反射鏡２１６に向かい、そこでさらに反射して次に、１／２波長板２１８を通過する。この１／２波長板２１８は、青と緑の光成分の偏光方向をｓ偏光からｐ偏光に変換する。
【００９５】
各分離光成分は、次に光学素子アレイ２０４を出射し、被照明対象に向かう。なお、このアレイは他の光学システムでも実現することができる。図７から判る様に、光学素子アレイ２０４は、光学素子自体を通過又は反射するために生じる伝送による光損失を除き、光源２０２が出射する殆ど全ての光を通過させる。かように、光源２０２が出射する略全ての光が光学素子アレイを通過する。図から明らかな様に、図７の光学素子アレイは、光源２０２のエタンデュを４倍に増大させる。
【００９６】
図８は、さらに効率のよいスペクトル分布偏光変換器２３０を示す図である。光源２３２から出射した光は光学素子アレイ２３４に入射し、第１の偏光ビームスプリッタ２３６によってｓ偏光とｐ偏光に分離される。分離面を通過してｐ偏光された白色光は偏光ビームスプリッタ２３６を出射し、第１の１／４波長板２３８を通過して円偏光となる。この光は次に第１のダイクロイックフィルタ２４０に入射し、青と緑の光成分が反射し、赤の光成分が通過する。反射した青と緑の光成分は、第１の１／４波長板２３８を逆方向から通過して直線偏光に戻るが、第１の１／４波長板２３８を２回通過するために９０度回転してｓ偏光となる。青と緑の光成分は第１のビームスプリッタ２３６の分離面に戻り、その分離面で反射して第１の偏光ビームスプリッタ２３６を出射し、被照明対象２５８に入射する。
【００９７】
第１のダイクロイックフィルタ２４０を透過した赤の光成分は、第１の１／４波長板２３８と光学軸をアラインさせた第２の１／４波長板２４２を通過する。第２の１／４波長板２４２を通過した赤の光成分もｓ偏光になっている。このｓ偏光の赤色光成分は、第２の偏光ビームスプリッタ２５４に入射し、その分離面で反射して第２の偏光ビームスプリッタ２５４から出射する。この光成分は、次に１／２波長板２５６で９０度偏光面を回転されて通過し、被照明対象を照射する。
【００９８】
一方、光源２３２から出射したｓ偏光の光は第１の偏光ビームスプリッタ２３６の分離面で反射する。このｓ偏光の光は第１の偏光ビームスプリッタ２３６を出射して、第３の１／４波長板２４４に入り、円偏光となって通過する。この光は、次に、第２のダイクロイックフィルタ２４６に入射し、ここで赤の光成分は反射し、青と緑の光成分は通過する。反射した赤色光成分は、第３の１／４波長板２４４を逆方向に通過してｐ偏光に変換される。この赤色光成分は、第１の偏光ビームスプリッタ２３６の分離面に戻り、第１の１／４波長板２３８と第１のダイクロイックフィルタ２４０とのスタックから反射したｓ偏光の青と緑の光成分と結合する。ｐ偏光の赤色光成分は、第１の偏光ビームスプリッタ２３６から出射して、ｓ偏光した青と緑の光成分と同じ被照明対象２５８を照射する。
【００９９】
第２のダイクロイックフィルタ２４６を通過した青と緑の光成分は、第３の１／４波長板２４４と光学軸をアラインさせた第４の１／４波長板２４８をｐ偏光となって通過する。青と緑の光成分は、次に、２枚の反射鏡２５０、２５２で反射し、第２の偏光ビームスプリッタ２５４に向かう。かように、第２のダイクロイックフィルタ２４６を第１及び第２の偏光ビームスプリッタ２３６、２５４の間の光路上に配設している。これらの青と緑の光成分はｐ偏光であるので、第２の偏光ビームスプリッタ２５４の分離面を通過し、第１のダイクロイックフィルタ２４０を通過したｓ偏光の赤色光成分と結合する。青と緑の光成分は第２の偏光ビームスプリッタ２５４から出射し、次に１／２波長板２５６でｓ偏光に変換されて出射し、ｐ偏光の赤色光成分と同じ被照明対象２５８を照射する。
【０１００】
図８に示した構成は、光源２３２からの赤色光を全てｓ偏光に変換する。この構成から明らかな様に、従来の偏光変換器と同様に、この変換プロセスでエタンデュが２倍になる。この構成において、種々の構成要素を傾斜させることにより、２つの照明光成分を一緒にすることができる。この結果、被照明領域の面積が、原ランプ出力光の面積と同じになる。これは、また、照明の角度範囲を増大させ、エタンデュを再度２倍にする。
【０１０１】
フライズアイ照明光学素子を有するプロジェクタに適用するに適したこのコンセプトの別の実施形態を図９及び図１０に示す。この構成において、変換器２６０は、図２３（Ａ）及び図２３（Ｂ）の従来の変換器と同様に、偏光ビームスプリッタ（ＰＢＳ）２６６ａ−２６６ｇのスタックにより構成された光学素子アレイ２６４を有している。図９及び図１０において、入力部２６２ａからビームスプリッタスタック２６６に入射した光は２つの白色光偏光状態に分割される。ＰＢＳ２６６ｂの分離面を通過するｐ偏光は、アラインした１／４波長板２７０ａ、２７４ａと赤色光反射ダイクロイックフィルタ２７２ａのスタックに入射する。
【０１０２】
ダイクロイックフィルタ２７２ａを通過した青と緑の光成分は、２枚の１／４波長板２７０ａ、２７４ａの作用により、ｓ偏光として出射する。ダイクロイックフィルタ２７２ａで反射した赤色光成分もｓ偏光に変換されている。この赤色光成分は、ＰＢＳ２６６ｂの分離面に戻り、次のビーム分離部内のＰＢＳ２６２ａの分離面で反射される。赤色光成分は、再びＰＢＳ２６６ａの分離面で反射し、本図の左側に進行する。この赤色光成分は、次に１／４波長板２７６ａを通過し、金属反射鏡２７８ａで反射し、１／４波長板２７６ａを逆方向から通過して再びＰＢＳ２６６ａに入る。このとき赤色光成分は１／４波長板２７６ａの作用により偏光方向が回転し、ｐ偏光になっている。この赤色光成分はＰＢＳ２６６ａの分離面を通過し、所望のｐ偏光の赤色光成分としてＰＢＳから出射する。
【０１０３】
一方、ＰＢＳ２６６ｂの分離面で反射したｓ偏光の白色光は、次の下方のＰＢＳ２６６ｃの分離面で再び反射し、１／４波長板２８０ａ，２８４ａとダイクロイックフィルタ２８２ａにより構成される他の１／４波長板／ダイクロイックフィルタスタックのアライメントに入射する。このスタックのダイクロイックフィルタ２８２ａは、赤色光成分を通過させ、緑と青の光成分を反射し、１／４波長板２８０ａ，２８４ａはこれら３成分を全てｐ偏光に変換する。ダイクロイックフィルタ２８２ａを透過した赤色光成分は、所望のｐ偏光の赤色光の残りである。第２ダイクロイックフィルタ２８２ａで反射した青と緑の光成分は、先ずＰＢＳ２６６ｃの分離面を通り、次に１／４波長板２７６ｂを通って金属反射鏡２７８ｂで反射し、１／４波長板２７６ｂを通ってｓ偏光に変換される。１／４波長板２７６ｂを通過後、ｓ偏光の青と緑の光成分はＰＢＳ２６６ｃ，２６６ｄの２つ以上の分離面を通り、所望のｓ偏光に変換された緑と青の光成分の残部として出射する。
【０１０４】
同様に、変換器２６０は、１／４波長板２７６ｂ，２７４ｂと、ダイクロイックフィルタ２７２ｂと、１／４波長板２７６ｃと、ダイクロイックフィルタ２８２ｂを有し、前述の同じ参照番号の類似素子と同様に作用する。図から明らかなように、種々の光学素子を使用し、２６２ａ，２６２ｂのような追加入力光を準備することができる。
【０１０５】
上記の実施形態において、単一入力に対して４つの偏光部があり、出力は４つの別個の成分を有する。この出力のエタンデュは、入力の大きさの４倍である。しかしながら、図９及び図１０の構成は、非偏光の白色光用の２つの入力２６２ａ，２６２ｂを有している。ビームスプリッタ、波長板、ダイクロイックフィルタ及び金属反射鏡の動作は、この第２の入力部２６２ｂの場合も前記第１入力の場合と同じである。この組み合わせにおいて、図示したように、ビームスプリッタの１つ、即ち、ＰＢＳ２６６ｄにおける動作が重なっている。ｓ偏光の緑と青の光成分は、第２入力２６２ｂからのｐ偏光の赤色光成分と結合する。光源からの全ての光が集められて２つの入力に送り込まれるならば、結果として生じるエタンデュの変化は、４：１の増加よりも大きい７：２の増加となる。３つの光入力を使用する場合、増加は１０：３になり、Ｎ個の入力に対する一般的な結果は３Ｎ＋１：Ｎの増加になる。かように、多数のセグメントの場合、エタンデュは、３の因数である。フライズアイレンズ照明装置における代表的な光入力数は、６または８であり、従ってエタンデュの増加は、何れの場合も約３．２である。これは従来の偏光変換器の大きさの増加の２倍よりも大きいが、ＬＣＤパネル用及び非常に小さいアークソースと共に使用して有用である。
【０１０６】
図８と図９及び図１０とは好適な実施形態を示している。図８の実施形態は、フライズアイレンズ照明装置が使用されていないシステムに用いて最適であり、図９及び図１０の実施形態はフライズアイレンズ照明装置用に好適な構成である。この発明の別の形態は、ダイクロイックフィルタのパスバンド特性の異なる仕様の選択に関連する。ｓ偏光の緑色と青色の光成分と、ｐ偏光の赤色光成分を生成するプロセスを示すために用いる実施形態は、反射ＬＣＤ投影システムの１つの構成にとって有益である。このタイプの投影器の他の構成は，緑色と赤色の光成分をｓ偏光とし，青色光成分をｐ偏光とすることを要求する。色光と偏光の分布はダイクロイックフィルタのパスバンドにより制御され、被照明光学システムの要求に一致させねばならない。
【０１０７】
さらに、本発明の偏光変換器は、光を、赤と青と緑の光成分に分離するのに使用されるが、さらに他の色光成分は、適当な光学素子を単に選択することにより選択できる。例えば、スペクトル分布偏光変換器は、光を赤外線と紫外線と可視光成分に選択偏光状態で分離するように構成することができる。さらに、偏光変換器を、その他の最終偏光状態を生み出すために使用してもよい。最終偏光状態は、例えば、ｓ偏光とｐ偏光に代えて左及び右円偏光とすることができる。
【０１０８】
光をスペクトル分布で分離し、その成分の偏光状態を変換する代わりの方法は、光を偏光成分で分離する前に光をスペクトルで分離することにより達成できる。第１ステップは少なくとも２つのスペクトル成分を有し、通常ランダムに偏光される白色光を生成する。この光を、スペクトルによって第１成分と第２成分に分離する。次に第１成分を、第１偏光を有する第１偏光成分と第２偏光を有する第２偏光成分に分離する。第２偏光成分の偏りを第１偏光に変換する。同様に、第２成分を第１偏光を有する第３偏光成分と第２偏光を有する第４偏光成分に分離する。第３偏光成分の偏光を第２偏光に変換する。これにより、第１偏光を有する第１成分と第２偏光を有する第２成分が得られる。
【０１０９】
ＩＩＩ．スペクトル分布偏光変換器を有する投影表示システム
本発明によるスペクトル分布偏光変換器を、本発明による投影表示システムと組み合わせることができる。図１１は、投影表示システム４００を示す図であり、このシステムは、図４のシステムと同図のプレフィルタスタック１１３を、図８のスペクトル分布偏光変換器２３０で置き換えた点を除き同じ構成である。同様に、図１２に示す投影表示システム４１０は、図５のシステムと同図のプレフィルタースタック１１３を、図８のスペクトル分布偏光変換器２３０で置き換えた点を除き同じである。
【０１１０】
上記の投影表示システム４００，４１０において、ランプ１００からの略全光がスペクトル分布偏光変換器２３０を介して投影システム８３，１２４に各々入射し、明るい投影画像を生成する。追加の光学素子を偏光変換器２３０と投影システム８３または投影システム１２４の間に配して、芯合わせ、照準または他の光学的調節ができるようにするのが望ましい。
【０１１１】
図１３に、図９と図１０に示したスペクトル発散型偏光ビームスプリッタ（ＰＢＳ）アレイを図５の（コレステリックフィルタスタックを除去した）システムと共に使用する投影表示システムを示す。
【０１１２】
以上、反射光バルブ用の投影表示システムと幾つかの構成例を開示してきた。開示は、本発明の好適な実施形態と他の幾つかの実施形態例に関するものであり、さらなる変更及び修正を添付の特許請求の範囲に規定した本発明の範囲から逸脱することなく実施できることは理解できよう。特定の実施形態により、前述の利益の１つ以上が達成されることも理解できよう。さらに望むならば、透過光バルブ（変調器）を異なる偏光を有する光と組み合わせて使用できる。これまでの説明に使用してきた用語と表現は説明のためのものであり、発明を限定するものではなく、図面を参照して説明した特徴またはその部分の同等の用語及び表現を排除する意図は全く無い。本発明の範囲は、添付の特許請求の範囲によってのみ規定され制限されることを認識すべきである。
【図面の簡単な説明】
【図１】本発明による投影システムの構成例及びその作用を説明するための概略図である。
【図２】本発明による光源と投影システムの構成例及びその作用を説明するための概略図である。
【図３】本発明に適用するフィルタスタックの構成及びその作用を説明するための概略図である。
【図４】本発明による投影表示システムの１実施例の構成及びその作用を説明するための概略図である。
【図５】本発明による投影表示システムの他の実施例の構成及びその作用を説明するための概略図である。
【図６】本発明によるスペクトル分布偏光を変換するプロセスの一例を示すブロック図である。
【図７】本発明によるスペクトル分布偏光変換器の一実施例の構成及びその作用を説明するための概略図である。
【図８】本発明によるスペクトル分布偏光変換器の他の実施例の構成及びその作用を説明するための概略図である。
【図９】本発明によるスペクトル分布偏光変換器の更に他の実施例の構成及びその作用を説明するための概略図である。
【図１０】図９に続く本発明によるスペクトル分布偏光変換器の実施例を示す概略図である。
【図１１】本発明による投影表示システムの他の実施例の構成及びその作用を説明するための概略図である。
【図１２】本発明による投影表示システムの更に他の実施例の構成及びその作用を説明するための概略図である。
【図１３】本発明による投影表示システムの更に他の実施例の構成及びその作用を説明するための概略図である。
【図１４】従来の投影表示システムの一例の構成及びその作用を説明するための概略図である。
【図１５】従来の投影表示システムの他の例の構成及びその作用を説明するための概略図である。
【図１６】従来の投影表示システムの更に他の例の構成及びその作用を説明するための概略図である。
【図１７】従来技術の投影表示システムの更に他の例の構成及びその作用を説明するための概略図である。
【図１８】従来の偏光変換器の一例の構成及びその作用を説明するための図である。
【図１９】従来の偏光変換器の他の例の構成及びその作用を説明するための図である。
【図２０】従来の偏光変換器の更に他の例の構成及びその作用を説明するための図である。
【図２１】従来の偏光変換器の更に他の例の構成及びその作用を説明するための図である。
【図２２】従来の偏光変換器の更に他の例の構成及びその作用を説明するための図である。
【図２３】従来の偏光変換器の更に他の例の構成及びその作用を説明するための図である。
【符号の説明】
１０…投影表示システム、１２…光源、１４…照明機構、１６…偏光機構、１８…光分割機構、２０…再結合機構、２２…投影機構、２４…ランプ、２６…反射鏡、２８，３０…ダイクロイックフィルタ、３２，３４，３６…偏光ビームスプリッタ（ＰＢＳ）、３８，４０，４２…液晶表示装置（ＬＣＤ）、４４，４６…ダイクロイックフィルタ、４８…投影レンズ、５０…投影表示システム、５２…偏光ビームスプリッタ（ＰＢＳ）、５４，５６…ダイクロイックフィルタ、６０…投影表示システム、６４，６６…ダイクロイックフィルタ、７０…投影表示システム、７２…カラーキューブフィルタ、７４，７６…ダイクロイックフィルタ、７８…偏光ビームスプリッタキューブ、８０…投影表示システム、８２…光源、８３…投影システム、８４…青色光透過ダイクロイックフィルタ、８６…青反射ダイクロイックフィルタ、８８，９０…偏光ビームスプリッタ、９２，９４，９６…ＬＣＤ、９８…投影レンズ、１００…ランプ、１０２…反射鏡、１０４…赤透過ダイクロイックフィルタ、１０６，１１０…偏光ビームスプリッタ（ＰＢＳ）、１０８…赤色光反射ダイクロイックフィルタ、１０９，１１１…ストップ、  １１２…１／２波長板、１１３…フィルタスタック、１１４，１１６，１１８…コレステリックカラーフィルタ、１２０…１／４波長板、１２２…投影表示システム、１２４…投影システム、１２６…青色光透過ダイクロイックフィルタ、２００…偏光変換器、２０２…光源、２０４…光学素子アレイ、２０６…偏光ビームスプリッタ、２０８…ダイクロイックフィルタ、２１０…反射鏡、２１２，２１８…１／２波長板、２１４…ダイクロイックフィルタ、２１６…反射鏡、２３０…スペクトル分布偏光変換器、２３２…光源、２３４…光学素子アレイ、２３６…偏光ビームスプリッタ、２３８，２４２，２４４，２４８…１／４波長板、２４０…ダイクロイックフィルタ、２４６…ダイクロイックフィルタ、２５０，２５２…反射鏡、２５４…偏光ビームスプリッタ、２５６…１／２波長板、２５８…被照明対象、２６０…変換器、２６２ａ，２６２ｂ…入力部、２６４…光学素子アレイ、２６６ａ，２６６ｂ，２６６ｃ，２６６ｄ，２６６ｅ，２６６ｆ，２６６ｇ…偏光ビームスプリッタ（ＰＢＳ）、２７０ａ，２７０ｂ，２７４ａ，２７４ｂ，２７６ａ，２７６ｂ，２７６ｃ，２８０ａ，２８０ｂ，２８４ａ，２８４ｂ…１／４波長板、２７２ａ，２７２ｂ，２８２ａ，２８２ｂ…ダイクロイックフィルタ、２７８ａ，２７８ｂ，２７８ｃ…金属反射鏡、３０１…ランプ、３０２…偏光ビームスプリッタプレート、３０８…照明領域、３２３，３２４，３２５，３２６…反射鏡、４００，４１０…投影表示システム。
【図１】
0003570936.tif 000002
【図２】
0003570936.tif 000003
【図３】
0003570936.tif 000004
【図４】
0003570936.tif 000005
【図５】
0003570936.tif 000006
【図６】
0003570936.tif 000007
【図７】
0003570936.tif 000008
【図８】
0003570936.tif 000009
【図９】
0003570936.tif 000010
【図１０】
0003570936.tif 000011
【図１１】
0003570936.tif 000012
【図１２】
0003570936.tif 000013
【図１３】
0003570936.tif 000014
【図１４】
0003570936.tif 000015
【図１５】
0003570936.tif 000016
【図１６】
0003570936.tif 000017
【図１７】
0003570936.tif 000018
【図１８】
0003570936.tif 000019
【図１９】
0003570936.tif 000020
【図２０】
0003570936.tif 000021
【図２１】
0003570936.tif 000022
【図２２】
0003570936.tif 000023
【図２３】
0003570936.tif 000024